(57)【特許請求の範囲】
【請求項１】
放送用の複数のコマーシャル情報を記憶するコマーシャル情報記憶手段と、コマーシャルの放送タイミングになった場合、前記コマーシャル情報記憶手段から読み出した所定のコマーシャルを放送可能な放送手段とを備える放送センタであって、
前記コマーシャル情報毎に、指定された放送時間帯の情報及び相対的な放送比率を決定するための情報と対応させて記憶しておく付帯情報記憶手段と、
前記コマーシャル情報毎に、前記放送手段によって放送された放送実績を記憶しておく放送実績記憶手段と、
前記付帯情報記憶手段に記憶されている放送時間帯情報及び相対的放送比率決定用情報と、前記放送実績記憶手段に記憶されている放送実績に基づいて、次に放送するコマーシャル情報を決定する決定手段とを備え、
前記放送手段は、該決定手段によって決定されたコマーシャル情報を放送するように構成されていることを特徴とする放送センタ。
【請求項２】
請求項１に記載の放送センタにおいて、
前記放送実績記憶手段は、前記放送実績として、累積放送回数あるいは累積放送時間を記憶しており、
前記付帯情報記憶手段は、前記相対的な放送比率を決定するための情報として、放送比率決定係数を記憶しており、
前記決定手段は、前記放送時間帯情報に基づいて現在の時間帯に放送可能なコマーシャル情報を選択した結果、複数存在する場合には、該当する各コマーシャル情報について前記放送比率決定係数と前記累積放送回数あるいは累積放送時間とを乗算し、それらを比較して最も値の小さいものを前記次に放送するコマーシャル情報として決定するよう構成されていることを特徴とする放送センタ。
【請求項３】
請求項２に記載の放送センタにおいて、
前記決定手段は、現在の時間帯に放送可能なコマーシャル情報が複数存在し、該当する各コマーシャル情報について前記放送比率決定係数と前記累積放送回数あるいは累積放送時間とを乗算した結果、最も値の小さいものが複数存在した場合には、それらの中からランダムに選択したものを前記次に放送するコマーシャル情報として決定するよう構成されていることを特徴とする放送センタ。
【請求項４】
請求項１，２又は３に記載の放送センタにおいて、
前記放送手段は、音声情報と映像情報が送信可能なテレビジョン放送手段であると共に、当該放送手段が放送するコマーシャル情報は、音声情報及び映像情報の少なくとも一方を含むものであることを特徴とする放送センタ。
【発明の詳細な説明】
【０００１】
【発明の属する技術分野】
本発明は、テレビジョン放送やラジオ放送などの各種放送施設においてコマーシャルを放送する装置に関し、特に放送するコマーシャルを決められた比率で放送するように自動決定し、これを放送する手段を具備する放送センタに関する。
【０００２】
【従来の技術及び発明が解決しようとする課題】
従来、テレビ番組やラジオ番組の間に、コマーシャル・メッセージ（以下、単にコマーシャルと称す。）を放送することが一般的になされている。そして、この場合のコマーシャル放送は、予め決められた順序にてコマーシャルを放送していた。
【０００３】
例えばＣＡＴＶシステムの放送センタにおいては、チャンネル数を多く取り、加入者に対して多くのサービスを提供することを目的の一つとするため、ＣＡＴＶの放送センタ内部においては、地上波や衛星波の放送センタとは異なり１チャンネルあたりにかけることのできるコストを抑える必要があり、有人のオペレーションより無人のオペレーションを必要としてきた。また、特にＣＡＴＶシステムでは、１つの放送センタのカバーするエリアが比較的小さく、その放送スタッフも比較的少人数となりがちであるという現状もある。このような場合に各放送センタで、このため、コンピュータによりコマーシャル情報を放送するシステムとしてあらかじめ決められた順序にて放送していた。
【０００４】
しかしながら、あらかじめ決められた順序や時間にて放送していたのでは、視聴者から見ていつも同じ順序にてコマーシャルの放送を視聴することになり、飽きがくるという問題があった。また、番組の放送内容によってはコマーシャルの放送時間が異なることも考えられ、その場合には放送されないコマーシャルが生じたり、あるいは放送回数があるコマーシャルだけ増えたりして、均等に放送することができなくなり、公平さを欠いていた。
【０００５】
また、そのようなことがないように考慮しながら人が手作業で順番を設定することも可能であるが、上述したようになるべく無人のオペレーションにしたいという要求には背くこととなる。そして、例えば１週間あるいは１日前に全ての放送スケジュールが決まっており、それを考慮しながら設定するのであればまだよいが、その日の番組内容次第で、次に放送するコマーシャルをリアルタイムで順次決定していかなくてはならないとすると、人手による判断ではとうてい追いつかない。
【０００６】
そこで本発明は、上述した問題点を解決するためになされたものであり、放送順番の決定を自動的に行うことができ、それでいて放送順番が単調にならず、また所定の放送比率に調整可能な放送センタを提供することを目的とする。
【０００７】
【課題を解決するための手段及び発明の効果】
この目的を達成するためになされた請求項１に記載の発明は、
放送用の複数のコマーシャル情報を記憶するコマーシャル情報記憶手段と、コマーシャルの放送タイミングになった場合、前記コマーシャル情報記憶手段から読み出した所定のコマーシャルを放送可能な放送手段とを備える放送センタであって、
前記コマーシャル情報毎に、指定された放送時間帯の情報及び相対的な放送比率を決定するための情報と対応させて記憶しておく付帯情報記憶手段と、
前記コマーシャル情報毎に、前記放送手段によって放送された放送実績を記憶しておく放送実績記憶手段と、
前記付帯情報記憶手段に記憶されている放送時間帯情報及び相対的放送比率決定用情報と、前記放送実績記憶手段に記憶されている放送実績に基づいて、次に放送するコマーシャル情報を決定する決定手段とを備え、
前記放送手段は、該決定手段によって決定されたコマーシャル情報を放送するように構成されていることを特徴とする放送センタである。
【０００８】
本発明の放送センタは、コマーシャルの放送タイミングになった場合、放送用の複数のコマーシャル情報を記憶するコマーシャル情報記憶手段から読み出した所定のコマーシャルを放送手段が放送する。
この場合、放送手段は次のように決定されたコマーシャル情報を放送する。すなわち、付帯情報記憶手段は、コマーシャル情報毎に、指定された放送時間帯の情報及び相対的な放送比率を決定するための情報と対応させて記憶しており、放送実績記憶手段は、コマーシャル情報毎に、前記放送手段によって放送された放送実績を記憶している。そして、決定手段が、付帯情報記憶手段に記憶されている放送時間帯情報及び相対的放送比率決定用情報と、放送実績記憶手段に記憶されている放送実績に基づいて、次に放送するコマーシャル情報を決定するのである。
【０００９】
具体的には、例えば請求項２に示すように決定することが考えられる。すなわち、放送実績記憶手段は、放送実績として累積放送回数あるいは累積放送時間を記憶しており、付帯情報記憶手段は、相対的な放送比率を決定するための情報として放送比率決定係数を記憶しており、決定手段が、放送時間帯情報に基づいて現在の時間帯に放送可能なコマーシャル情報を選択した結果、複数存在する場合には、該当する各コマーシャル情報について放送比率決定係数と累積放送回数あるいは累積放送時間とを乗算し、それらを比較して最も値の小さいものを次に放送するコマーシャル情報として決定する。
【００１０】
また、この場合、請求項３に示すように、決定手段は、現在の時間帯に放送可能なコマーシャル情報が複数存在し、該当する各コマーシャル情報について放送比率決定係数と前記累積放送回数あるいは累積放送時間とを乗算した結果、最も値の小さいものが複数存在した場合には、それらの中からランダムに選択したものを次に放送するコマーシャル情報として決定するようにしてもよい。
【００１１】
このようにすれば、予め放送順番を決めておかなくても、その時点までのコマーシャル放送状況に応じた最適なコマーシャルを決定して、自動的に放送することができる。最適なコマーシャルとは、その放送時間帯に放送されることが要求されているものであり、同じ放送時間帯に放送すべき他のコマーシャルとの関係においても、所定に放送比率に近づくという点で最適なものである。
【００１２】
したがって、コマーシャル情報の放送順番の決定を、予め設定されている時間帯情報及び相対的放送比率決定用情報と、放送実績に基づくだけで自動的に行うことができ、それでいて放送順番が単調にならず、また所定の放送比率に調整することができる。特に、毎日、同じ時間には同じコマーシャル情報が放送されるということが生じにくくなり、このコマーシャルの次はこのコマーシャルという具合いに順番が固定されることも生じにくくなるので、単調さを防止する点で好ましい。
【００１３】
また、次に放送するコマーシャル情報を決定する際に、人手は必要なく、無人のオペレータションで実現できる。例えば、チャンネル数を多く取り、加入者に対して多くのサービスを提供する放送システムでは、地上波や衛星波の放送センタとは異なり１チャンネルあたりにかけることのできるコストを抑える必要があり、無人のオペレーションでの実現は有効である。特にＣＡＴＶシステム等では、１つの放送センタのカバーするエリアが比較的小さく、その放送スタッフも比較的少人数となりがちであるという現状もある。したがって、このような状況で用いる放送センタとしては無人オペレータションでの放送実現が非常に有効となってくる。
【００１４】
なお、放送するコマーシャルとしては、ラジオ放送によるコマーシャルのような音声だけでもよいし、テレビジョン放送によるコマーシャルのように映像だけ、あるいは映像と音声とがセットになったもの等が考えられる。例えば、請求項４に示すように、放送手段として、音声情報と映像情報が送信可能なテレビジョン放送手段を採用すれば、コマーシャル情報は、音声情報及び映像情報の少なくとも一方を含むものが実現できる。
【００１５】
【発明の実施の形態】
以下、本発明の放送センタを具体化した一実施例を図面を参照しながら説明する。
図１は、本実施例の放送センタの概略構成を示すブロック図である。図１に示すように、本放送センタ１０は、おおまかには番組放送ユニット２０と、コマーシャル放送ユニット３０と、本発明における「放送手段」としての放送手段５０とから構成されている。
【００１６】
番組放送ユニット２０は、所定の番組プログラムにしたがってメインの番組を放送するためのものであり、コマーシャル放送ユニット３０は、そのメインの番組間にコマーシャルを放送するためのものである。そして、本実施例の放送手段５０はテレビジョン放送手段であり、番組放送ユニット２０から送出された番組放送用情報あるいはコマーシャル放送ユニット３０から送出されたコマーシャル放送用情報を放送するためのものである。なお、発明の主旨を考えると映像がなくても構わないので、放送手段５０がいわゆるラジオ放送手段であっても構わない。
【００１７】
そして、放送手段５０によって放送された放送内容は、視聴者側のテレビジョン受信機などの受信設備にて受信され、番組及びコマーシャルが視聴可能である。なお、放送センタ１０と視聴者側の受信設備はＣＡＴＶシステムのように有線で接続されていてもよいし、通常の放送システムのように無線でもよい。
【００１８】
続いてコマーシャル放送ユニット３０の詳細について説明する。コマーシャル放送ユニット３０は、本発明の「決定手段」に相当し、コマーシャル放送ユニット全体の制御を行なうＣＰＵ３１と、「付帯情報記憶手段」及び「放送実績記憶手段」に相当するＣＰＵメモリ３３と、「コマーシャル情報記憶手段」に相当する外部記憶装置３５と、再生装置３７とを備えている。
【００１９】
前記外部記憶装置３５には、放送用の複数のコマーシャル情報が記憶されている。
また、前記ＣＰＵメモリ３３には、付帯情報テーブル３３ａと放送実績テーブル３３ｂとが格納されている。付帯情報テーブル３３ａには、外部記憶装置３５に記憶されているコマーシャル情報の識別情報（ＩＤ）毎に、その放送時間帯と係数が記憶されており、放送実績テーブル３３ｂには、コマーシャル情報の識別情報（ＩＤ）毎に、放送実績として累積放送回数が記憶されるようになっている。
【００２０】
ここで、付帯情報テーブル３３ａに記憶される放送時間帯と係数について補足説明する。放送時間帯は、例えば「９：００〜１０：００」のように記憶されており、この時間帯中に放送されることが希望されていることを示す。そして、その時間帯中であれば特に限定されておらず、例えば「９：００〜９：０３」の間と「９：２８〜９：３０」の間と「９：５８〜１０：００」の間の３回がコマーシャル放送時間として設定されている場合もあれば、「９：００〜９：０２」の間と「９：２６〜１０：００」の間の２回が設定されている場合もある。
【００２１】
これはその時間帯に放送されるメインの番組によって決まるものであり、番組放送ユニット２０は、番組プログラムに設定されているコマーシャル放送の指定時間になると、コマーシャル放送ユニット３０に放送要求を出してくるだけであり、その内容までは指定しない。そして、コマーシャル放送ユニット３０では、その放送要求を受け取ると、現在時刻を参照し、その時刻の属する放送時間帯に対応するコマーシャルを選択するのである。なお、１つのコマーシャルに対して２以上の時間帯が設定されていてもよい。例えば、「１０：００〜１１：００」と「１４：００〜１５：００」の２つの時間帯が設定されていれば、その２つの時間帯において放送することが希望されているコマーシャルである。
【００２２】
そして、このいくつかの候補のコマーシャルから一つを選択するのに用いるのが係数である。この係数は、そのコマーシャルの相対的な放送比率を決定するための情報であり、例えば、同じ放送時間帯に放送するコマーシャルが２種類ある場合に、ＡのコマーシャルをＢのコマーシャルの２倍の比率で放送する場合には、Ａのコマーシャルの係数を「０．５」に設定し、Ｂのコマーシャルの係数を「１．０」に設定する。これは、本実施例では、後述するように、過去の放送回数とこの係数を乗算した値が少ないものから優先して放送するように制御するので、係数が小さい程放送頻度が高くなることを意味している。
【００２３】
もちろん、１日の全放送時間帯において各コマーシャルの放送比率が所定値となるように考慮して係数を設定してもよい。但し、いわゆるゴールデンタイムといったような視聴率が高い時間帯での放送を希望する場合も多く、さらにそのような時間帯ではコマーシャル放送料金も他の時間帯よりも高額に設定することが一般的であるので、１〜２時間の時間帯単位で独立して係数を設定することが好ましいと考えられる。なお、あくまでこの係数は、同じ時間帯中に放送する候補として設定されているコマーシャル同士間での放送比率を決定するためのものであり、全体的な比率を示すものではない。
【００２４】
前記再生装置３７は、ＣＰＵ３１が決定して、外部記憶装置３５から取り出したコマーシャル情報を再生して放送手段５０に送るためのものである。
そして、放送手段５０は、番組放送ユニット２０から送られてきたメインの番組情報あるいはコマーシャル放送ユニット３０の再生装置３７から送られてきたコマーシャル情報を各視聴者に対して放送する。
【００２５】
次に、本実施例の放送センタの動作について説明する。
まず概略を説明すると、上述したように、番組放送ユニット２０では、所定の番組プログラムにしたがって番組を放送するのであるが、メインの番組情報は番組放送ユニットが備えており、それを放送手段５０を介して放送する。そして、番組放送ユニット２０は、番組プログラムにしたがってコマーシャルを放送するタイミングになると、コマーシャル放送ユニット３０に放送要求を出す。なお、この放送要求には放送時間の情報が含まれている。つまり、番組プログラムにはコマーシャルを何分間放送するかが設定されているので、その放送時間を放送要求に含めて指定するのである。
【００２６】
したがって、コマーシャル放送ユニット３０では、その番組放送ユニット２０からの放送要求があると、ＣＰＵ３１がＣＰＵメモリ３３の付帯情報テーブル３３ａと放送実績テーブル３３ｂを参照して、まず放送可能なコマーシャルの本数を決定した後、放送するコマーシャル情報を順次決定する。そして、その決定したコマーシャル情報を外部記憶装置３５がら読み出して再生装置３７に転送する。再生装置３７で再生されたコマーシャル情報は放送手段５０を介して放送されることとなる。
【００２７】
このような動作の中で、コマーシャル放送ユニット３０のＣＰＵ３１が次に放送するコマーシャル情報を決定する処理について図２，３のフローチャートを参照して説明する。
まず、最初のステップＳ１０においては、放送要求に含まれている指定の放送時間から、放送すべきコマーシャル情報の本数ｎを決定する。本実施例では、１本コマーシャル情報の長さは一律に設定されている。例えばコマーシャル情報は１本が３０秒に設定されており、番組放送ユニット２０から２分間の放送時間が指定された場合には、４本のコマーシャル情報を放送することができるので、放送本数ｎ＝４となる。
【００２８】
次のＳ２０においては、ＣＰＵメモリ３３の付帯情報テーブル３３ａの放送時間帯の項目を参照して、現在の時間帯に放送可能なコマーシャル情報を全て抽出する。
Ｓ３０では、その抽出したコマーシャル情報毎に、付帯情報テーブル３３ａの係数と放送実績テーブル３３ｂの累積放送回数とを乗算する。そして、Ｓ４０では、その乗算した値を比較して、値が一番小さいコマーシャル情報を抽出する。
【００２９】
Ｓ５０では、Ｓ４０で抽出したコマーシャル情報が複数ある場合、つまり、一番小さい値となったコマーシャル情報が複数ある場合には、乱数にしたがって１つをランダムに選択する。そして、Ｓ６０では、その選択したコマーシャル情報を次に放送するものとして決定する。
【００３０】
その後、Ｓ７０（図３参照）にて、その決定したコマーシャル情報に対応する放送実績テーブル３３ｂの累積放送回数をインクリメントする。
続くＳ８０では、放送本数ｎをデクリメント（ｎ←ｎ−１）し、Ｓ９０でｎが０であるかどうかを判断する。
【００３１】
ｎ＝０であれば（Ｓ９０：ＹＥＳ）、そのまま本処理を終了するが、ｎ＝０でなければ（Ｓ９０：ＮＯ）、Ｓ２０へ戻って再度Ｓ２０〜Ｓ９０の処理を繰り返す。この場合、１回目の処理でＳ６０で決定されたコマーシャル情報の累積放送回数はＳ７０でインクリメントされているので、２回目の処理のＳ３０で乗算した値は１回目の乗算値よりも大きくなっている。そのため、通常は別のコマーシャル情報の乗算値（係数×累積放送回数）の方が小さくなるので、その別のコマーシャル情報が次に放送するコマーシャル情報として決定されることとなる。
【００３２】
このようにして、例えば４本分のコマーシャル放送時間が指定されているのであれば、その４本のコマーシャル情報の識別情報と放送順番が決定されることとなる。
なお、コマーシャル情報の放送処理は、この図２，３の決定処理とは別個に実行される。つまり、決定処理によって決定された４本のコマーシャル情報の識別情報と放送順番が、例えばＣＰＵメモリ３３に一時記憶され、それに従ってＣＰＵ３１は、外部記憶装置３５から該当するコマーシャル情報を取り出して再生装置３７に転送する。再生装置３７に転送されたコマーシャル情報は放送手段５０を介して放送されることとなる。
【００３３】
また、番組放送ユニット２０では、番組プログラムに基づく次のメイン番組の放送開始時間になると、放送手段５０を介して放送を開始する。この場合、コマーシャル放送ユニットに対して放送停止指令を出してもよいし、また、放送停止指令は出さずに、コマーシャル放送ユニット３０の再生装置３７からの情報は無視し、番組放送ユニット２０からの番組放送情報を優先して放送手段５０から放送するようにしてもよい。上記図２，３の処理が正常になされれば、指定されたコマーシャルの放送時間分しかコマーシャル情報が決定されていないので、続くメイン番組の放送を邪魔することはない。
【００３４】
以上説明したように、本実施例の放送センタ１０は、コマーシャルの放送タイミングになった場合、番組放送ユニット２０からコマーシャル放送ユニット３０に放送要求が出され、コマーシャル放送ユニット３０では、その放送要求に応じたコマーシャル情報を決定し、それを外部記憶装置３５から読み出して再生装置３７に転送し、そこで再生して放送手段５０より放送する。
【００３５】
この場合、放送するコマーシャル情報は次のようにして決定する。つまり、付帯情報テーブル３３ａには相対的な放送比率を決定するための係数が記憶されており、ＣＰＵ３１は、付帯情報テーブル３３ａの放送時間帯情報に基づいて現在の時間帯に放送可能なコマーシャル情報を選択した結果、複数存在する場合には、該当する各コマーシャル情報についての係数と累積放送回数との乗算値を比較して最も値の小さいものを次に放送するコマーシャル情報として決定する。また、乗算値が最も小さいものが複数存在した場合には、それらの中からランダムに選択したものを次に放送するコマーシャル情報として決定する。
【００３６】
このようにすれば、予め放送順番を決めておかなくても、その時点までのコマーシャル放送状況に応じた最適なコマーシャルを決定して、自動的に放送することができる。最適なコマーシャルとは、その放送時間帯に放送されることが要求されているものであり、同じ放送時間帯に放送すべき他のコマーシャルとの関係においても、所定に放送比率に近づくという点で最適なものである。
【００３７】
したがって、コマーシャル情報の放送順番の決定を、予め設定されている時間帯情報及び相対的放送比率を決定するための情報としての「係数」と放送実績としての「累積放送回数」とに基づくだけで自動的に行うことができ、それでいて放送順番が単調にならず、また所定の放送比率に調整することができる。特に、毎日、同じ時間には同じコマーシャル情報が放送されるということが生じにくくなり、このコマーシャルの次はこのコマーシャルという具合いに順番が固定されることも生じにくくなるので、単調さを防止する点で好ましい。
【００３８】
また、放送するコマーシャル情報を決定する際に、人手は必要なく、無人のオペレータションで実現できる。例えば、チャンネル数を多く取り、加入者に対して多くのサービスを提供する放送システムでは、地上波や衛星波の放送センタとは異なり１チャンネルあたりにかけることのできるコストを抑える必要があり、無人のオペレーションでの実現は有効である。特にＣＡＴＶシステム等では、１つの放送センタのカバーするエリアが比較的小さく、その放送スタッフも比較的少人数となりがちであるという現状もある。したがって、このような状況で用いる放送センタとしては無人オペレータションでの放送実現が非常に有効となってくる。
【００３９】
以上本発明はこの様な実施例に何等限定されるものではなく、本発明の要旨を逸脱しない範囲において種々なる態様で実施し得る。
例えば、上記実施例においては、放送実績テーブル３３ｂに累積放送回数を記憶するようにしたが、累積放送時間を記憶するようにしてもよい。その場合には付帯情報テーブル３３ａにはコマーシャル情報毎に放送時間を記憶しておく必要がある。特に、上記実施例では、コマーシャル情報の長さが一律に設定されているという条件で説明したが、例えばコマーシャル情報毎に放送時間が異なる場合も考えられる。その場合には、累積放送回数ではなくては累積放送時間で比較してもよい。もちろん、１本の放送時間が異なる場合にも累積放送回数で比較してもよいが、視聴者へのアピール度合、すなわち広告効果等を考えると放送時間に基づく方が好ましいといえる。
【００４０】
また、上記図２，３のフローチャートに示した処理では、最初のステップＳ１０において、放送要求に含まれている指定の放送時間から放送すべきコマーシャル情報の本数ｎを決定していた。これは、コマーシャル情報の長さが一律に設定されているという条件であるため、最初に決定してもよかったが、１本の放送時間が異なる場合には、最初には決定できない。したがって、その場合には、次に放送するコマーシャル情報を１本決める毎に、残り時間を考慮して確認をする必要がある。例えば、Ｓ２０〜Ｓ５０と同様に処理によって選択したコマーシャル情報の放送時間とコマーシャルを放送できる残り時間とを比較して、コマーシャル情報の放送時間が残り時間をオーバーしなければ、それを次に放送するコマーシャル情報として決定し、さらに次に放送するコマーシャル情報の決定処理に移行するが、もしもオーバーするようであれば、そのコマーシャル情報を除いた中から決定するようにすればよい。
【００４１】
例えば、Ｓ３０で得た乗算値が同じであるが、Ｓ５０での選択で漏れたものがある場合には、そのコマーシャル情報について、やはり残り時間と比較する。そしてオーバーしなければそれを次に放送するコマーシャル情報として決定する。また、もしも乗算値が同じものがなかった場合には、Ｓ３０で得た乗算値が２番目に小さかったコマーシャル情報について残り時間と比較する。そしてオーバーしなければそれを次に放送するコマーシャル情報として決定する。このような優先順位で決定していけばよい。
【図面の簡単な説明】
【図１】  実施例の放送センタの概略構成を示すブロック図である。
【図２】  実施例の放送センタのコマーシャル放送ユニットにて実行される次放送コマーシャル情報の決定処理の前半を示すフローチャートである。
【図３】  実施例の放送センタのコマーシャル放送ユニットにて実行される次放送コマーシャル情報の決定処理の後半を示すフローチャートである。
【符号の説明】
１０…放送センタ                ２０…番組放送ユニット
３０…コマーシャル放送ユニット  ３３…ＣＰＵメモリ
３３ａ…付帯情報テーブル        ３３ｂ…放送実績テーブル
３５…外部記憶装置              ３７…再生装置
５０…放送手段
【図１】
0003722886.tif 000002
【図２】
0003722886.tif 000003
【図３】
0003722886.tif 000004